(57)【要約】【課題】  処理液によって処理された印画紙を、所定の搬送路に沿って搬送しながら乾燥させる乾燥部１２を備えた写真焼付現像機（写真処理装置）において、消費電力を増大させることなく待機時間を短縮して、写真処理装置の処理能力を向上させる。【解決手段】  乾燥部１２に、該乾燥部１２の温度に応じて、印画紙の乾燥部１２への進入から排出までの時間である乾燥時間を変更する乾燥時間変更手段を設ける。この乾燥時間変更手段は、支持板駆動モータ４２によりターンローラ２３を移動させて搬送路の長さを変更することで、乾燥時間を変更するように構成する。【選択図】  図２
2007041041.tif 000002
【特許請求の範囲】
【請求項１】
処理液によって処理された印画紙を所定の搬送路に沿って搬送しながら乾燥させる乾燥部を備えた写真処理装置であって、
上記乾燥部は、該乾燥部の温度を検出する温度検出手段と、該温度検出手段により検出された検出温度に応じて、上記印画紙の上記乾燥部への進入から排出までの時間である乾燥時間を変更する乾燥時間変更手段とを有していることを特徴とする写真処理装置。
【請求項２】
請求項１記載の写真処理装置において、
上記乾燥時間変更手段は、上記乾燥部における搬送路の長さを変更する搬送路長さ変更手段を有していて、該搬送路長さ変更手段により搬送路の長さを変更することで、上記印画紙の乾燥時間を変更するように構成されていることを特徴とする写真処理装置。
【請求項３】
請求項２記載の写真処理装置において、
上記搬送路長さ変更手段は、上記検出温度が高くなるほど上記搬送路を短くするように構成されていることを特徴とする写真処理装置。
【請求項４】
請求項２又は３記載の写真処理装置において、
上記乾燥部は、上記印画紙を、巻付け角度が約１８０°になるように巻き付けて該印画紙の搬送の向きを反対にするターンローラを有し、
上記搬送路長さ変更手段は、上記ターンローラを、該ターンローラに対し進入するか又は送り出された印画紙の搬送方向に略沿った方向に移動させることで、上記搬送路の長さを変更するように構成されていることを特徴とする写真処理装置。
【請求項５】
請求項１記載の写真処理装置において、
上記乾燥時間変更手段は、上記印画紙の搬送速度を変更する搬送速度変更手段を有していて、該搬送速度変更手段により印画紙の搬送速度を変更することで、上記印画紙の乾燥時間を変更するように構成されていることを特徴とする写真処理装置。
【請求項６】
請求項５記載の写真処理装置において、
上記搬送速度変更手段は、上記検出温度が高くなるほど上記搬送速度を速くするように構成されていることを特徴とする写真処理装置。
【請求項７】
請求項５又は６記載の写真処理装置において、
上記印画紙を所定の搬送路に沿って搬送しながら上記処理液によって処理するための液処理部を備え、
上記印画紙は、上記液処理部の搬送路から上記乾燥部の搬送路へ送られるとともに、該液処理部の搬送路から乾燥部の搬送路へ送られる印画紙に、該印画紙の液処理部での搬送速度と乾燥部での搬送速度との差を吸収するためのループ部が形成されるように構成されていることを特徴とする写真処理装置。
【発明の詳細な説明】
【技術分野】
【０００１】
本発明は、処理液によって処理された印画紙を、所定の搬送路に沿って搬送しながら乾燥させる乾燥部を備えた写真処理装置に関する技術分野に属する。
【背景技術】
【０００２】
一般に、写真焼付現像機においては、ロール状に巻かれた長尺状の印画紙が、プリントサイズに対応する長さに切断された後、その切断された各印画紙が所定間隔をあけて順次搬送され、その搬送途中で焼付け、現像及び乾燥処理がなされて外部に排出されるようになっている。すなわち、焼付け部にてネガフィルムのネガ像が印画紙の乳剤面上に露光焼付けされ、その後、この印画紙が、現像部に設けられた、各種処理液が収容された処理槽に順次搬送されて現像処理がなされ、これら処理液によって処理された印画紙が乾燥部に搬送されて、この乾燥部で搬送されながら、乾燥部に送り込まれる熱風等により乾燥される。
【０００３】
上記のような写真焼付現像機では、乾燥部の温度が、印画紙の乾燥不足や過乾燥が生じないような設定温度に制御される。ところが、この写真焼付現像機を稼働し始めたとき等のように乾燥部の温度が所定温度よりも低い状態で乾燥部の昇温を開始したときには、乾燥部の温度が上記設定温度になるまでには、ある程度の時間がかかる一方、この昇温途中で乾燥処理を行うようにすると、乾燥不足が生じてしまう。このため、例えば特許文献１に示されているように、乾燥部の温度が設定温度になるまでの間は、乾燥処理を行わず待機させておくようにしている。
【特許文献１】特開平９−２６５１６６号公報
【発明の開示】
【発明が解決しようとする課題】
【０００４】
ところで、上記のように乾燥部の温度が設定温度になるまでの待機時間は非常に無駄であるため、例えば大型のヒータを用いる等して待機時間を出来る限り短くするようにすることが考えられる。
【０００５】
しかしながら、このような大型のヒータを用いる方法では、消費電力が大幅に増大するという問題があり、よって、消費電力を増大させることなく無駄な待機時間を短縮することは非常に困難である。
【０００６】
本発明は、斯かる点に鑑みてなされたものであり、その目的とするところは、上記写真焼付現像機のような乾燥部を備えた写真処理装置において、消費電力を増大させることなく待機時間を短縮して、写真処理装置の処理能力を向上させようとすることにある。
【課題を解決するための手段】
【０００７】
上記の目的を達成するために、この発明では、乾燥部に、該乾燥部の温度に応じて、印画紙の乾燥部への進入から排出までの時間である乾燥時間を変更する乾燥時間変更手段を設けるようにした。
【０００８】
具体的には、請求項１の発明では、処理液によって処理された印画紙を所定の搬送路に沿って搬送しながら乾燥させる乾燥部を備えた写真処理装置を対象とする。
【０００９】
そして、上記乾燥部は、該乾燥部の温度を検出する温度検出手段と、該温度検出手段により検出された検出温度に応じて、上記印画紙の上記乾燥部への進入から排出までの時間である乾燥時間を変更する乾燥時間変更手段とを有しているものとする。
【００１０】
上記の構成により、乾燥部の温度が設定温度よりも低くても、乾燥時間変更手段により印画紙の乾燥時間を適切な時間になるように変更することができるようになり、印画紙の乾燥不足や過乾燥の発生を抑制することができる。この結果、乾燥部の温度が設定温度になるまでの昇温途中であっても、印画紙の乾燥処理を適切に行うことができ、これにより、大型のヒータを用いることなく待機時間を短縮することができる。よって、印画紙の乾燥不足や過乾燥の発生及び消費電力の増大を抑制しつつ、写真処理装置の処理能力を向上させることができる。
【００１１】
請求項２の発明では、請求項１の発明において、上記乾燥時間変更手段は、上記乾燥部における搬送路の長さを変更する搬送路長さ変更手段を有していて、該搬送路長さ変更手段により搬送路の長さを変更することで、上記印画紙の乾燥時間を変更するように構成されているものとする。
【００１２】
このことにより、搬送路の長さを長くするほど乾燥時間を長くすることができ、乾燥時間の変更を容易に行うことができる。
【００１３】
請求項３の発明では、請求項２の発明において、上記搬送路長さ変更手段は、上記検出温度が高くなるほど上記搬送路を短くするように構成されているものとする。
【００１４】
こうすることで、印画紙の乾燥時間を、乾燥不足や過乾燥を生じさせることのない適切な時間に確実にすることができる。
【００１５】
請求項４の発明では、請求項２又は３の発明において、上記乾燥部は、上記印画紙を、巻付け角度が約１８０°になるように巻き付けて該印画紙の搬送の向きを反対にするターンローラを有し、上記搬送路長さ変更手段は、上記ターンローラを、該ターンローラに対し進入するか又は送り出された印画紙の搬送方向に略沿った方向に移動させることで、上記搬送路の長さを変更するように構成されているものとする。
【００１６】
このことで、搬送路の長さの変更量を、ターンローラの移動量の２倍にすることができ、ターンローラの移動量が小さくても、乾燥時間の変更範囲を大きくすることができる。
【００１７】
請求項５の発明では、請求項１の発明において、上記乾燥時間変更手段は、上記印画紙の搬送速度を変更する搬送速度変更手段を有していて、該搬送速度変更手段により印画紙の搬送速度を変更することで、上記印画紙の乾燥時間を変更するように構成されているものとする。
【００１８】
この発明により、搬送速度を遅くするほど乾燥時間を長くすることができ、乾燥時間の変更を請求項２の発明よりも容易に行うことができる。
【００１９】
請求項６の発明では、請求項５の発明において、上記搬送速度変更手段は、上記検出温度が高くなるほど上記搬送速度を速くするように構成されているものとする。
【００２０】
このことにより、印画紙の乾燥時間を、乾燥不足や過乾燥を生じさせることのない適切な時間に確実にすることができる。
【００２１】
請求項７の発明では、請求項５又は６の発明において、上記印画紙を所定の搬送路に沿って搬送しながら上記処理液によって処理するための液処理部を備え、上記印画紙は、上記液処理部の搬送路から上記乾燥部の搬送路へ送られるとともに、該液処理部の搬送路から乾燥部の搬送路へ送られる印画紙に、該印画紙の液処理部での搬送速度と乾燥部での搬送速度との差を吸収するためのループ部が形成されるように構成されているものとする。
【００２２】
このことで、印画紙の搬送速度が液処理部と乾燥部とで異なっていても、その速度差をループ部で容易に吸収することができ、印画紙を液処理部の搬送路から乾燥部の搬送路へスムーズに送り込むことができる。
【発明の効果】
【００２３】
以上説明したように、本発明の写真処理装置によると、乾燥部に、該乾燥部の温度に応じて、印画紙の乾燥部への進入から排出までの時間である乾燥時間を変更する乾燥時間変更手段を設けるようにしたことにより、乾燥部の温度が設定温度になるまでの昇温途中であっても、印画紙の乾燥処理を適切に行うことができ、消費電力を増大させることなく待機時間を短縮して、写真処理装置の処理能力の向上化を図ることができる。
【発明を実施するための最良の形態】
【００２４】
以下、本発明の実施形態を図面に基づいて詳細に説明する。
【００２５】
（実施形態１）
図１は、本発明の実施形態１に係る写真処理装置としての写真焼付現像機を示す。この写真焼付現像機は本体ケース１を有し、この本体ケース１の上側には、長尺状の印画紙４（以下、印画紙を単にペーパという）が乳剤面を外側にして（つまり乳剤面と反対側のベース面を内側にして）ロール状に巻かれた状態で収容されたペーパマガジン２が設けられている。そして、本体ケース１内には、上記ペーパ４に対して焼付け、現像及び乾燥処理をそれぞれ行う焼付け部１０、現像部１１及び乾燥部１２が設けられている。
【００２６】
上記ペーパマガジン２から本体ケース１内に引き出された長尺ペーパ４は、カッター装置５によりプリントサイズに対応する長さに切断されるようになっている。この切断されたペーパ４（以下、切断されたペーパ４についてはペーパ４ａと記す）は、上記焼付け部１０に設けた露光台６の露光位置に搬送されて停止保持される。
【００２７】
上記本体ケース１の上面と図１の左側側面との角部には、内部に光源７ａを有する光源装置７が設けられ、この光源装置７の光源７ａの光が、反射板８を介して、ネガマスク９に保持されたネガフィルムＦに照射され、そのネガ像が上記露光位置に保持されたペーパ４ａの乳剤面上に焼付けられる。尚、このようにネガフィルムＦに光を照射してそのネガ像をペーパ４ａの乳剤面上に焼付ける代わりに、予めネガ像をデジタルデータ化しておいて、そのデータに基づいて、例えばレーザエンジンから出射されるレーザ光をペーパ４ａに対して走査することで、ネガ像をペーパ４ａの乳剤面上に焼付けるようにしてもよい。
【００２８】
上記焼付け処理されたペーパ４ａは、上記現像部１１へ送られる一方、次にカッター装置５により切断されたペーパ４ａが露光台６の露光位置に搬送されて停止保持され、この新たなペーパ４ａに対し焼付け処理がなされ、このようにして、焼付け処理されたペーパ４ａは、順次、その前後のペーパ４ａとの間に所定間隔をあけた状態で現像部１１へ送られるようになっている。尚、図１には、焼付け部１０から後述のペーパ出口１８までのペーパ４ａの搬送路が二点鎖線で示されている。
【００２９】
上記現像部１１には、各種処理液（水を含む）がそれぞれ収容された複数の処理槽１６が設けられており、上記焼付け部１０より送られてきたペーパ４ａは、搬送路に沿って搬送されながら、これら処理槽１６の処理液に順次浸漬されて現像処理がなされるようになっている。このことにより、現像部１１は、ペーパ４ａを所定の搬送路に沿って搬送しながら処理液によって処理するための液処理部に相当する。尚、複数の処理槽１６のうち最も搬送路下流側にある処理槽１６には、その上流側で付着した処理液を洗い落とすための水が収容されている。
【００３０】
また、上記現像部１１の搬送路下流端部には、スクイズラック１３が設けられ、このスクイズラック１３には、駆動ローラ１４ａ及び従動ローラ１４ｂからなるスクイズローラ１４が２組設けられており、これらスクイズローラ１４によりペーパ４ａを挟持することによって、上記現像処理されたペーパ４ａの水切りを行うようになっている。
【００３１】
上記スクイズラック１３を通過したペーパ４ａは、上向きに搬送されて、上記乾燥部１２に形成された乾燥室１７内に送り込まれる。そして、乾燥部１２は、乾燥室１７にて、上記処理液によって処理されかつスクイズラック１３を通過したペーパ４ａを、所定の搬送路に沿って搬送しながら、乾燥室１７への熱風の導入により乾燥させるように構成されている。
【００３２】
ここで、上記乾燥部１２の構成を詳細に説明する。図２にも示すように、乾燥部１２の乾燥室１７内の上部には、ペーパ４ａを、巻付け角度が約１８０°になるように巻き付けて該ペーパ４ａの搬送の向きを反対にする（つまり上向きから下向きに変更する）ターンローラ２３と、このターンローラ２３の外周表面に不図示のスプリングにより押し付けられる３つの従動ローラ２４と、ペーパ４ａをターンローラ２３に巻き付けるための３つのガイド板２５とが設けられている。
【００３３】
上記乾燥室１７内におけるターンローラ２３の搬送路上流側には、ペーパ４ａを該ターンローラ２３へと上向きに搬送する、駆動ローラ２６ａ及び従動ローラ２６ｂからなる複数組の圧着型搬送ローラ２６が設けられ、ターンローラ２３の搬送路下流側には、ターンローラ２３から送り出されたペーパ４ａを下向きに搬送する、駆動ローラ２７ａ及び従動ローラ２７ｂからなる複数組の圧着型搬送ローラ２７が設けられている。
【００３４】
上記乾燥室１７内における搬送路下流端部は、乾燥室１７の上下方向中間部に位置しており、この下流端部には、ペーパ４ａを、巻付け角度が約９０°になるように巻き付けて該ペーパ４ａの搬送の向きを約９０°変更する巻付けローラ３０と、ガイドローラ３１と、ガイド板３２と、ペーパ４ａを乾燥室１７外へ略水平状態で排出する、駆動ローラ３３ａ及び従動ローラ３３ｂからなる排出ローラ３３とが設けられている。この乾燥室１７外へ排出された乾燥処理後のペーパ４ａは、そのまま本体ケース１に設けたペーパ出口１８から外部へ排出される。
【００３５】
上記乾燥室１７内における搬送路の上流側部分の近傍には、熱線ヒータ３５が配設されており、この熱線ヒータ３５の搬送路と反対側の部分には、この熱線ヒータ３５からの熱を反射させる反射板３６が設けられており、これら熱線ヒータ３５及び反射板３６による輻射熱により、乾燥室１７内における搬送路の上流側部分に位置するペーパ４ａを集中的に熱するように構成されている。
【００３６】
上記反射板３６の搬送路下流側部分におけるターンローラ２３の近傍には、乾燥室１７内に熱風を吹き出す吹出し部３７ａが設けられている。この吹出し部３７ａはダクト３７に設けられたものであって、このダクト３７は、図示を省略するクロスフローファンに接続されており、このクロスフローファンと該クロスフローファンの吸込口に設けた熱風生成用ヒータとにより、加熱された空気（熱風）がダクト３７を通って吹出し部３７ａより乾燥室１７内に吹き出される。
【００３７】
また、乾燥室１７内には、乾燥室１７の温度を検出する温度検出手段としての温度検出センサ３９が設けられており、この温度検出センサ３９の出力値は、不図示のコントローラに入力され、このコントローラは、その出力値（温度検出センサによる検出温度）に基づいて、上記熱線ヒータ３５及び熱風生成用ヒータへの通電のＯＮ及び及びＯＦＦを制御するように構成されている。すなわち、温度検出センサによる検出温度が設定温度（例えば８０℃程度）よりも低いときには、熱線ヒータ３５及び熱風生成用ヒータへの通電をＯＮ状態とし、設定温度以上であるときには、熱線ヒータ３５及び熱風生成用ヒータへの通電をＯＦＦ状態にする。
【００３８】
上記ターンローラ２３、従動ローラ２４及びガイド板２５は、支持板４１に支持されている。この支持板４１の側部には、ラックギア４１ａが形成されており、このラックギア４１ａが、支持板駆動モータ４２の回転軸に回転一体に取付固定された駆動ギア４３と中間ギア４４を介して噛み合っている。このことにより、支持板４１は、支持板駆動モータ４２によって上下方向、つまりターンローラ２３に対し進入するか又は送り出されたペーパ４ａの搬送方向に略沿った方向に移動するようになっている。この支持板４１の移動により、ターンローラ２３が、従動ローラ２４及びガイド板２５と共に上下方向に移動する。これにより、ターンローラ２３と、該ターンローラ２３の上流側及び下流側にそれぞれ隣接する搬送ローラ２６，２７との間の距離が変更され、したがって、乾燥部１２における搬送路の長さが変更されることになる。このように搬送路の長さが変更されると、ペーパ４ａの乾燥部１２（乾燥室１７）への進入から排出までの時間である乾燥時間が変更されることになる。このことにより、支持板駆動モータ４２は、ペーパ４ａの乾燥時間を変更する乾燥時間変更手段を構成するとともに、乾燥部１２（乾燥室１７）における搬送路の長さを変更する搬送路長さ変更手段を構成することになる。尚、図２では、ターンローラ２３が最も下側に位置している状態（搬送路が最も短い状態）を示し、図３では、ターンローラ２３が最も上側に位置している状態（搬送路が最も長い状態）を示している。
【００３９】
上記ターンローラ２３は、ローラ駆動モータ５１により駆動されるようになっている。すなわち、ローラ駆動モータ５１の回転軸には駆動プーリ５２が回転一体に取付固定され、ターンローラ２３の回転軸の一端部には、従動プーリ５３が回転一体に取付固定されており、これら駆動プーリ５２及び従動プーリ５３間にはベルト５４が巻き掛けられている。このベルト５４は、該ベルト５４の張力を調整するためのオートテンショナ６１のテンションプーリ６２にも巻き掛けられている。すなわち、このオートテンショナ６１は、基端部が回転自在に支持された回転レバー６３を有し、この回転レバー６３の先端部に、上記テンションプーリ６２が回転自在となるように支持されている。そして、回転レバー６３は、不図示のスプリングにより、テンションプーリ６２が上記ベルト５４を押圧する方向に付勢されている。この構成により、ターンローラ２３が最も上側に位置している状態（図３参照）から下側に移動することでベルト５４が緩もうとしても、上記オートテンショナ６１のテンションプーリ６２により押圧されるので、ベルト５４の張力は殆ど低下することなく一定に維持される。
【００４０】
上記ローラ駆動モータ５１は、上記ターンローラ２３の他に、不図示のギア等を介して、搬送ローラ２６，２７の駆動ローラ２６ａ，２７、巻付けローラ３０及び排出ローラ３３の駆動ローラ３３ａをも駆動するようになっていて、上記コントローラにより駆動制御される。本実施形態では、ローラ駆動モータ５１は、乾燥部１２におけるペーパ４ａの搬送速度が、現像部１１におけるペーパ４ａの搬送速度と同じになるように駆動制御される。
【００４１】
上記支持板駆動モータ４２は、上記コントローラによる制御によって、上記温度検出センサ３９により検出された検出温度に応じて、乾燥室１７の搬送路の長さを変更するようになっている。具体的には、写真焼付現像機を稼働し始めたとき等のように上記検出温度が所定温度（室温よりも僅かに高い温度）よりも低い状態で乾燥室１７の昇温を開始したときから上記設定温度になるまでの間、上記検出温度が高くなるほど上記搬送路を短くする。すなわち、乾燥室１７の昇温開始時点では、ターンローラ２３を最も上側に位置させておき、検出温度が高くなるに連れて、ターンローラ２３を下側へ移動させ、検出温度が上記設定温度になったときには、ターンローラ２３を最も下側に位置させる。そして、検出温度が上記設定温度になった後において該設定温度になるように制御されている間は、ターンローラ２３は最も下側に位置したままとなる。尚、上記検出温度とターンローラ２３の移動量との関係は、予めデーブルにして上記コントローラに記憶されている。また、ターンローラ２３は、或るペーパ４ａが、ターンローラ２３から送り出されて、次のペーパ４ａがターンローラ２３に進入するまでの間に行う。逆に言うと、この間にターンローラ２３の移動ができるように、前後のペーパ４ａの所定間隔が設定されている。
【００４２】
したがって、上記実施形態１では、乾燥室１７の温度に応じて、乾燥室１７の搬送路の長さを変更してペーパ４ａの乾燥時間を変更する、つまり、乾燥室１７の温度が低いときには、搬送路を長くして乾燥時間を長くする一方、乾燥室１７の温度が高くなると、搬送路を短くして乾燥時間を短くするようにしたので、乾燥室１７の温度が設定温度になるまでの昇温途中であっても、ペーパ４ａの乾燥不足や過乾燥の発生を防止することができ、ペーパ４ａの乾燥処理を適切に行うことができる。よって、大型のヒータを用いることなく待機時間を短縮することができる。
【００４３】
尚、上記実施形態１では、ターンローラ２３を移動させることで搬送路の長さを変更するようにしたが、搬送路の長さを変更する構成は、どのようなものであってもよい。例えば、１組の搬送ローラ２６を搬送路に対して垂直な方向に移動させるようにしてもよい。
【００４４】
（実施形態２）
図４は、本発明の実施形態２を示し（尚、図２と同じ部分については同じ符号を付してその詳細な説明は省略する）、乾燥室１７における搬送路の長さを変更する代わりに、乾燥室１７におけるペーパ４ａの搬送速度を変更することで、ペーパ４ａの乾燥時間を変更するようにしたものである。
【００４５】
すなわち、本実施形態では、ターンローラ２３、搬送ローラ２６，２７の駆動ローラ２６ａ，２７ａ、巻付けローラ３０及び排出ローラ３３の駆動ローラ３３ａを駆動するローラ駆動モータ５１は存在する（ローラ駆動モータ５１の配設位置は実施形態１と異なる）が、ターンローラ２３を移動させる支持板駆動モータ４２は存在せず、ターンローラ２３は移動しない。また、ターンローラ２３は、ベルト以外にギア等によって駆動するようにしてもよく、ベルトで駆動する場合であっても、上記実施形態１のようなオートテンショナ６１は不要である。
【００４６】
そして、本実施形態では、ローラ駆動モータ５１が、上記実施形態１で説明したコントローラによる制御によって、温度検出センサ３９により検出された検出温度に応じて、ローラ駆動モータ５１の回転速度を変更してペーパ４ａの搬送速度を変更するようになっている。このようにペーパ４ａの搬送速度が変更されると、ペーパ４ａの乾燥時間が変更されることになる。このことにより、ローラ駆動モータ５１は、ペーパ４ａの乾燥時間を変更する乾燥時間変更手段を構成するとともに、乾燥室１７におけるペーパ４ａの搬送速度を変更する搬送速度変更手段を構成することになる。
【００４７】
具体的には、ローラ駆動モータ５１は、写真焼付現像機を稼働し始めたとき等のように上記検出温度が所定温度（室温よりも僅かに高い温度）よりも低い状態で乾燥室１７の昇温を開始したときから上記設定温度になるまでの間、上記検出温度が高くなるほど上記搬送速度を速くする。すなわち、乾燥室１７の昇温開始時点では、搬送速度を最も遅くしておき、検出温度が高くなるに連れて搬送速度を速くし、検出温度が上記設定温度になったときには、搬送速度を、現像部１１でのペーパ４ａの搬送速度と同じにする。そして、検出温度が上記設定温度になった後において該設定温度になるように制御されている間は、搬送速度を、現像部１１でのペーパ４ａの搬送速度と同じにしたままとする。尚、上記検出温度と搬送速度との関係は、予めデーブルにして上記コントローラに記憶されている。
【００４８】
本実施形態では、上記の如く、乾燥室１７でのペーパ４ａの搬送速度と現像部１１でのペーパ４ａの搬送速度とが異なるので、その速度差を吸収するために、現像部１１の搬送路から乾燥室１７の搬送路へ送られるペーパ４ａに、上記速度差を吸収するためのループ部４ｂが形成されるように構成している。すなわち、乾燥室１７と現像部１１のスクイズラック１３との間に、上下方向に延びた状態、つまり搬送路に沿った状態（図４において二点鎖線で示す状態）と、略水平方向に延びた状態（実線で示す状態）との間を相互に回動可能な回動ガイド板７１が設けられており、この回動ガイド板７１は、下流側のスクイズローラ１４から送り出されたペーパ４ａが、最も上流側の搬送ローラ２６の駆動及び従動ローラ２６ａ，２６ｂ間に挟持されるまでは、搬送路に沿った状態にあって、ペーパ４ａを搬送ローラ２６へと導く役割を果たし、ペーパ４ａが搬送ローラ２６の駆動及び従動ローラ２６ａ，２６ｂ間に挟持されると、回動ガイド板７１を略水平方向に延びた状態にする。すると、乾燥室１７でのペーパ４ａの搬送速度が現像部１１でのペーパ４ａの搬送速度よりも遅いので、ペーパ４ａが弛んでループ部４ｂが形成される。
【００４９】
したがって、上記実施形態２では、乾燥室１７の温度に応じて、乾燥室１７でのペーパ４ａの搬送速度を変更してペーパ４ａの乾燥時間を変更するようにしたので、上記実施形態１と同様に、乾燥室１７の温度が設定温度になるまでの昇温途中であっても、ペーパ４ａの乾燥処理を適切に行うことができ、消費電力を増大させることなく待機時間を短縮して、写真処理装置の処理能力の向上化を図ることができる。しかも、ターンローラ２３を移動せる機構等を必要としないので、上記実施形態１よりも簡単な構成で済む。
【００５０】
尚、上記実施形態１，２では、ペーパ４ａの乾燥時間を変更するに際して、搬送路の長さ及びペーパ４ａの搬送速度のいずれか一方を変更するようにしたが、搬送路の長さ及びペーパ４ａの搬送速度の両方を変更するようにしてもよい。
【産業上の利用可能性】
【００５１】
本発明は、写真焼付現像機のように、処理液によって処理された印画紙を、所定の搬送路に沿って搬送しながら乾燥させる乾燥部を備えた写真処理装置に有用である。
【図面の簡単な説明】
【００５２】
【図１】本発明の実施形態１に係る写真処理装置としての写真焼付現像機を示す概略図である。
【図２】搬送路が最も短い状態を示す、乾燥部の拡大断面図である。
【図３】搬送路が最も長い状態を示す図２相当図である。
【図４】実施形態２を示す図２相当図である。
【符号の説明】
【００５３】
４      ペーパ（印画紙）
１２    乾燥部
１７    乾燥室
２３    ターンローラ
３９    温度検出センサ（温度検出手段）
４２    支持板駆動モータ（乾燥時間変更手段）（搬送路長さ変更手段）
５１    ローラ駆動モータ（乾燥時間変更手段）（搬送速度変更手段）
【図１】
2007041041.tif 000003
【図２】
2007041041.tif 000004
【図３】
2007041041.tif 000005
【図４】
2007041041.tif 000006